(57)【特許請求の範囲】
【請求項１】
現像剤収容部を有し、前記現像剤収容部へ現像剤を充填するための充填口が形成された現像剤収容器であって、
第１フレームと、
前記第１フレームに組み合わされる第２フレームと、
前記充填口を塞ぐキャップと、を備え、
前記充填口は、前記第１フレームおよび前記第２フレームが組み合わされて形成され、
前記第１フレームは、半円状に切り欠かれた第１切欠き部を有し、
前記第２フレームは、半円状に切り欠かれ、前記第１切欠き部と組み合わされることによって前記充填口を形成する第２切欠き部を有し、
前記第１フレームおよび前記第２フレームは、前記第１フレームと前記第２フレームの組み合わせ面よりも外側に突出する円筒部を有し、
前記円筒部の内面は、前記第１切欠き部と前記第２切欠き部によって形成され、
前記円筒部の外周面と全周に亘って接触するリング状部材を備えることを特徴とする現像剤収容器。
【請求項２】
現像剤収容部を有し、前記現像剤収容部へ現像剤を充填するための充填口が形成された現像剤収容器であって、
第１フレームと、
前記第１フレームに組み合わされる第２フレームと、
前記充填口を塞ぐキャップと、を備え、
前記充填口は、前記第１フレームおよび前記第２フレームが組み合わされて形成され、
前記第１フレームは、半円状に切り欠かれた第１切欠き部を有し、
前記第２フレームは、半円状に切り欠かれ、前記第１切欠き部と組み合わされることによって前記充填口を形成する第２切欠き部を有し、
前記第１フレームおよび前記第２フレームは、前記第１フレームと前記第２フレームの組み合わせ面よりも外側に突出する円筒部を有し、
前記円筒部の内面は、前記第１切欠き部と前記第２切欠き部によって形成され、
前記キャップは、前記円筒部の外周面を覆うように配置されることを特徴とする現像剤収容器。
【請求項３】
前記円筒部の内周面と全周に亘って接触するシール部材を備え、
前記円筒部は、前記シール部材が前記現像剤収容部へ移動するのを規制する規制部を有することを特徴とする、請求項２に記載の現像剤収容器。
【請求項４】
前記第１フレームは、前記第１切欠き部における前記キャップの装着方向下流端から湾曲する第１湾曲部を有し、
前記第２フレームは、前記第２切欠き部における前記キャップの装着方向下流端から湾曲し、前記第１湾曲部と組み合わされることによって湾曲部を形成する第２湾曲部を有し、
前記充填口は、前記円筒部および前記湾曲部によって形成されることを特徴とする、請求項２または請求項３に記載の現像剤収容器。
【請求項５】
現像剤を担持するための現像ローラを備え、
前記現像ローラは、前記第１フレームと前記第２フレームが組み合わされて形成される開口から露出し、
前記充填口は、前記開口と反対側に設けられることを特徴とする、請求項１から４のいずれか一項に記載の現像剤収容器。
【発明の詳細な説明】
【技術分野】
【０００１】
本発明は、現像剤収容器に関する。
【背景技術】
【０００２】
従来より、現像剤が収容された現像剤収容器を、着脱自在に備えるプリンタが知られている。このようなプリンタに備えられる現像剤収容器として、上フレームと、上フレームに組み合わされる下フレームとが溶着された現像剤収容器が知られている。また、下フレームの側壁には、現像剤収容器内にトナーを充填するためのトナー充填口が形成されている。（特許文献１参照）トナー充填口は、現像剤を充填するのに十分な大きさが必要である。
【先行技術文献】
【特許文献】
【０００３】
【特許文献１】特開２０１１−１３３７５７号公報
【発明の概要】
【発明が解決しようとする課題】
【０００４】
しかしながら、上記のような構成の現像剤収容器は、下フレームにトナー充填口が形成されているため、下フレームに十分な大きさを確保する必要があり、小型化するのが困難であった。
【０００５】
そこで、本発明は、小型化しても、現像剤を充填するのに十分な大きさを有した充填口を形成できる現像剤収容器を提供する。
【課題を解決するための手段】
【０００６】
（１）前記した目的を達成するために、本発明の現像剤収容器は、現像剤収容部を有し、現像剤収容部に現像剤を充填するための充填口が形成され、第１フレームと、第１フレームに組み合わされる第２フレームと、を備え、充填口は、第１フレームおよび第２フレームが組み合わされて形成されることを特徴とする。
【０００７】
これによれば、本発明の充填口は、第１フレームおよび第２フレームを跨ぐように形成されている。よって、第１フレームまたは第２フレームのいずれか一方に、充填口が形成される場合と比べると、各フレームにおける充填口を形成するために必要なスペースが小さくなる。その結果、現像剤収容器を小型化した場合でも、現像剤を充填するのに十分な大きさを有した充填口を形成できる。
【０００８】
（２）第１フレームは、半円状に切り欠かれた第１切欠き部を有し、第２フレームは、半円状に切り欠かれ、第１切欠き部と組み合わされることによって充填口を形成する第２切欠き部を有することが好ましい。
【０００９】
この結果、充填口の半分が第１フレームに形成され、充填口の残り半分が第２フレームに形成されている。よって、充填口がどちらか一方のフレームに半分以上形成される場合に比べて、現像剤収容器の小型化につながる。
【００１０】
（３）充填口を塞ぐキャップを備え、キャップは、円筒状に形成され、雄ねじ部が形成された外周面を有し、第１切欠き部および第２切欠き部には、雄ねじ部に螺合する雌ねじ部が形成されていることが好ましい。
【００１１】
これによれば、キャップは、充填口に対してねじ止めされることで固定される。よって、キャップが充填口から抜けることをより抑制できる。
【００１２】
（４）第１フレームおよび第２フレームは、第１フレームと第２フレームの組み合わせ面よりも外側に突出する円筒部を有し、円筒部の内面は、第１切欠き部および第２切欠き部によって形成され、円筒部の外周面と全周に亘って接触するリング状部材を備えることが好ましい。
【００１３】
これによれば、リング状部材によって円筒部を固定できる。よって、第１フレームと第２フレームの組み合わせ面の溶着力が弱い場合に有効である。また、リング部材は、キャップを円筒部に嵌めることによる円筒部への圧力を受けることができる。
【００１４】
（５）第１フレームおよび第２フレームは、第１フレームと第２フレームの組み合わせ面よりも外側に突出する円筒部を有し、円筒部の内面は、第１切欠き部および第２切欠き部によって形成され、キャップは、円筒部の外周面を覆うように配置されることが好ましい。
【００１５】
これによれば、キャップによって円筒部を固定できる。よって、第１フレームと第２フレームの組み合わせ面の溶着力が弱い場合に有効である。
【００１６】
（６）円筒部の内周面と全周に亘って接触するシール部材を備え、円筒部は、シール部材が現像剤収容部へ移動するのを規制する規制部を有することが好ましい。
【００１７】
これによれば、シール部材によって、充填口を塞ぐことが出来る。よって、充填口から現像剤が漏れることを抑制できる。特に、キャップの外周面と円筒部の内周面の密着力が弱い場合に有効である。また、シール部材を備えた場合、キャップと円筒部の間に隙間があってもよいので、キャップを円筒部に嵌めることによる円筒部への圧力を弱めることができる。よって、第１フレームおよび第２フレームへの負荷が低減する。
【００１８】
（７）第１フレームは、第１切欠き部におけるキャップの装着方向下流端から湾曲する第１湾曲部を有し、第２フレームは、第２切欠き部におけるキャップの装着方向下流端から湾曲し、第１湾曲部と組み合わされることによって湾曲部を形成する第２湾曲部を有し、充填口は、円筒部および湾曲部によって形成されることが好ましい。
【００１９】
これによれば、湾曲部によって現像剤の充填方向を、現像剤が舞い上がるのを抑制する方向に変えることが出来る。
【００２０】
（８）現像剤を担持するための現像ローラを備え、現像ローラは、第１フレームと第２フレームが組み合わされて形成される開口から露出し、充填口は、開口と反対側に設けられることが好ましい。
【００２１】
これによれば、現像ローラによって、充填口の配置を制限されることがないので、設計の自由度が向上する。
【発明の効果】
【００２２】
本発明の現像剤収容器によれば、充填口が第１フレームおよび第２フレームを跨ぐように形成されている。よって、現像剤収容器を小型化しても、現像剤を充填するのに十分な大きさを有した充填口を形成できる。
【図面の簡単な説明】
【００２３】
【図１】現像剤収容器の斜視図である。
【図２】現像剤収容器の側断面図である。
【図３】現像剤収容器の分解斜視図である。
【図４】第２実施形態の現像剤収容器を分解した状態の充填口周りの図である。
【図５】第２実施形態の現像剤収容器の斜視図である。
【図６】第３実施形態のキャップを装着する前の現像剤収容器の斜視図である。
【図７】第３実施形態のキャップを装着した状態の現像剤収容器の斜視図である。
【図８】第４実施形態のキャップの斜視図である。
【図９】第４実施形態のキャップを装着した状態の現像剤収容器の斜視図である。
【図１０】第５実施形態の充填口周りを表す図である。
【図１１】第５実施形態のキャップを装着する前の現像剤収容器の斜視図である。
【図１２】変形例における充填口周りを表す図である。
【図１３】第６実施形態の現像剤収容器を分解した状態の充填口周りの図である。
【図１４】第６実施形態の充填口周りの斜視図である。
【図１５】変形例の充填口周りの斜視図である。
【発明を実施するための形態】
【００２４】
＜第１実施形態＞
１．現像剤収容器の構成
本発明の実施形態について図面を参照して説明する。図１は、本発明の現像剤収容器１の斜視図である。図２は、現像剤収容器の側断面図である。尚、以下の説明において、方向は、図１に示すように、現像剤収容器１を横向きにおいた状態を基準として説明する。すなわち、キャップ５の装着方向を前後方向とし、現像剤収容器１の長手方向を左右方向とする。また、このように定義した前後左右の方向を基準として決まる方向を上下方向とする。
【００２５】
現像剤収容器１は、現像剤としてのトナーを収容する筐体２と、筐体２に装着されるキャップ５と、現像ローラ７と、供給ローラ８とを備えている。
【００２６】
筐体２は、図１に示すように、左右方向に長手のボックス形状であり、第１フレーム３と、第２フレーム４と、を備えている。また、筐体２の前方右側には、充填口６が形成されている。
【００２７】
キャップ５は、筐体２内のトナーが漏れないように、充填口６を塞ぐ。キャップ５は、充填口６に対して、前側に位置した状態で後側へ移動させられることによって、筐体２に装着されて充填口６を塞ぐ。また、キャップ５は、充填口６に挿入される挿入部４６と、挿入部４６の一端から外側に突出する鍔部４８と、を有する。鍔部４８は、図２に示すように、キャップ５が筐体２に装着された状態において、筐体２の前端に配置される。
【００２８】
現像ローラ７は、図２に示すように、供給ローラ８に対して斜め後側上方に設けられ、トナーを担持する。現像ローラ７の周面の一部は、後側上方より露出している。
【００２９】
供給ローラ８は、現像ローラ７と摺接しており、トナーを現像ローラ７に供給する。
【００３０】
次に、第１フレーム３および第２フレーム４について詳説する。図３は、現像剤収容器１の分解斜視図である。
【００３１】
（１）第１フレーム
第１フレーム３は、図３に示すように、筐体２の下側を構成し、上方および後方に向かって開放された有底枠形状に形成されている。また、第１フレーム３は、左右１対の側壁２０と、前壁２１と、下壁２２とを一体的に備えている。
【００３２】
両側壁２０は、前後方向に延びる側面視略矩形状に形成され、左右方向に互いに間隔を隔てて対向配置されている。また、右側の側壁２０には、図示しないギヤが配置される。
【００３３】
前壁２１は、左右方向に延びる正面視略矩形状に形成され、両側壁２０の前端部間に架設されている。また、前壁２１は、その上端部から前方に向かって延びる操作部２３を備えている。操作部２３は、ユーザが現像剤収容器１を操作するときに把持される。
【００３４】
下壁２２は、両側壁２０の下端部間において、前壁２１の下端部に連続して、前壁２１の下端部から後方に延びている。また、下壁２２は、図２に示すように、現像剤収容部の一例としてのトナー収容部２４を構成する第１部分２２Ａと、供給ローラ８が配置される第２部分２２Ｂと、現像ローラ７が配置される第３部分２２Ｃとを一体的に備えている。
【００３５】
第３部分２２Ｃに対応する両側壁２０には、図３に示すように、現像ローラ支持溝２５が形成されている。現像ローラ支持溝２５は、側壁２０の後端部から前側に向かって、後側に開放される側面視略Ｕ字形状に切り欠かれている。現像ローラ支持溝２５は、現像ローラ７の軸を支持する。
【００３６】
次に、第１フレーム３の溶着面について説明する。
【００３７】
第１フレーム３は、組み合わせ面の一例としての第１溶着面３０を備えている。
【００３８】
第１溶着面３０は、図３に示すように、両側壁２０の上端面である左右１対の第１両側溶着面３１と、前壁２１の上端面である第１前溶着面３２とを備えている。
【００３９】
第１両側溶着面３１は、前後方向に真っ直ぐ延びる面であり、前後方向の長さは、トナー収容部２４の前後方向長さとほぼ等しい。
【００４０】
第１前溶着面３２は、第１平面部３３と、第１平面部３３の右端付近に位置する第１切欠き部３４と、を有する。
【００４１】
第１平面部３３は、左右方向に真っ直ぐ延びる面である。第１平面部３３の左右方向中央部には、前後方向に延びる操作部溶着面３５が形成されている。
【００４２】
第１切欠き部３４は、第１平面部３３から下方に向かって半円状に切り欠かれた形状である。また、第１切欠き部３４は、充填口６の一部を形成する。
【００４３】
（２）第２フレーム
第２フレーム４は、図３に示すように、筐体２の上側を構成し、平面視略矩形の平板形状に形成されている。
【００４４】
第２フレーム４は、第１フレーム３のトナー収容部２４を上方から完全に被覆可能な大きさの平板形状に形成されている。また、第２フレーム４の前後方向長さは、第１フレーム３の前後方向長さよりも短い。具体的には、図２に示すように、第２フレーム４の後端４Ａは、現像ローラ７よりも前方に位置する。
【００４５】
次に、第２フレーム４の溶着面について説明する。
【００４６】
第２フレーム４は、図３に示すように、組み合わせ面の一例としての第２溶着面４０を備えている。
【００４７】
第２溶着面４０は、第１溶着面３０に対応するように形成されている。また、第２溶着面４０は、第１両側溶着面３１に対応する第２両側溶着面４１と、第１前溶着面３２に対応する第２前溶着面４２とを備えている。
【００４８】
第２両側溶着面４１は、第２フレーム４の左右両端において、前後方向に真っ直ぐに延びる面である。
【００４９】
第２前溶着面４２は、第２平面部４３と、第２平面部４３の右端付近に位置する第２切欠き部４４と、を有する。
【００５０】
第２平面部４３は、左右方向に真っ直ぐ延びる面である。第２平面部４３の左右方向中央部には、前後方向に延びる第２操作部溶着面４５が形成されている。第２操作部溶着面４５は、第１フレーム３の操作部溶着面３５に対応するように形成されている。
【００５１】
第２切欠き部４４は、第２平面部４３から上方に向かって半円状に切り欠かれた形状である。第２切欠き部４４は、充填口６の一部を形成する。そして、第２切欠き部４４は、第１切欠き部３４と溶着されることによって、図１に示すように、充填口６を形成する。
【００５２】
２．筐体の組み立て
筐体２を組み立てるには、第２フレーム４を、第１フレーム３の上端部に対して、上方から蓋をするように重ね合わせ、溶着する。
【００５３】
詳しくは、まず、第２フレーム４の第２前溶着面４２が、第１フレーム３の第１前溶着面３２に当接され、第２フレーム４の第２両側溶着面４１が、第１フレーム３の第１両側溶着面３１に当接されるように、第１フレーム３に第２フレーム４を組み合わせる。そして、組み合わされた第１フレーム３と第２フレーム４とを互いに溶着する。
【００５４】
図１は、第１フレーム３と第２フレーム４とが溶着された状態である。図１に示すように、第１フレーム３と第２フレーム４が溶着されると、筐体２が形成される。また、第１切欠き部３４および第２切欠き部４４が組み合わされて、充填口６が形成される。また、筐体２の後方、すなわち、充填口６が形成された側と反対側には、図２に示すように、第１フレーム３と第２フレーム４の間において、開口１０が形成されている。そして、開口１０から現像ローラ７が露出している。
【００５５】
３．作用効果
（１）このように、現像剤収容器１は、トナーを充填するための充填口６が形成され、第１フレーム３と、第１フレーム３に組み合わされる第２フレーム４と、を備え、充填口６は、第１フレーム３および第２フレーム４が組み合わされて形成される。
【００５６】
この結果、第１フレーム３または第２フレーム４のいずれか一方に、充填口６が形成される場合と比べると、第１フレーム３と第２フレーム４の各フレームにおける充填口６を形成するために必要なスペースが小さくなる。よって、現像剤収容器１を小型化しても、トナーを充填するのに十分な大きさを有した充填口６を形成できる。
【００５７】
（２）第１フレーム３は、半円状に切り欠かれた第１切欠き部３４を有し、第２フレーム４は、半円状に切り欠かれ、第１切欠き部３４と組み合わされることによって充填口６を形成する第２切欠き部４４を有する。
【００５８】
この結果、充填口６の半分が第１フレーム３に形成され、充填口６の残り半分が第２フレーム４に形成されている。よって、充填口６がどちらか一方のフレームに半分以上形成される場合に比べて、現像剤収容器１の小型化につながる。
【００５９】
（３）トナーを担持するための現像ローラ７を備え、現像ローラ７は、第１フレーム３と第２フレーム４が組み合わされて形成される開口１０から露出し、充填口６は、開口１０と反対側に設けられる。
【００６０】
この結果、現像ローラ７によって、充填口６の配置を制限されることがないので、設計の自由度が向上する。
【００６１】
＜第２実施形態＞
図４は、第２実施形態における現像剤収容器を分解した状態の充填口周りの図である。
図５は、第２実施形態における現像剤収容器の斜視図である。尚、第１実施形態と同様な部分は、詳細な説明は省略するものとする。
【００６２】
図４に示すように、第１フレーム３の第１切欠き部５０には、第１雌ねじ部５４が形成されている。同様に、第２フレーム４の第２切欠き部５２には、第２雌ねじ部５６が形成されている。また、第１雌ねじ部５４および第２雌ねじ部５６は、射出成型によって成型されている。また、第１雌ねじ部５４と第２雌ねじ部５６が組み合わされることによって、図５に示すように、雌ねじ部５８として機能する。雌ねじ部５８は、キャップ６４の雄ねじ部６２に螺合する。
【００６３】
図５に示すように、キャップ６４は、円筒状に形成され、キャップ６４の外周面には、雄ねじ部６２が形成されている。また、キャップ６４は、前端に把持部６６を有している。把持部６６は、キャップ６４を充填口６０に装着する際に、把持される。
【００６４】
次に、キャップ６４の充填口６０への装着について説明する。キャップ６４を充填口６０に装着するには、まず、キャップ６４の把持部６６を把持して、キャップ６４を充填口６０の前側に配置する。そして、キャップ６４を、現像剤収容器１の前側から見て時計回りに回転させながら装着する。これにより、雌ねじ部５８と雄ねじ部６２が螺合して、ねじ締めされる。
【００６５】
以上のように、キャップ６４は、円筒状に形成され、雄ねじ部６２が形成された外周面を有し、第１切欠き部５０および第２切欠き部５２は、雄ねじ部６２に螺合する雌ねじ部５８が形成されている。
【００６６】
この結果、キャップ６４は、充填口６０に対してねじ止めされることで固定されるので、キャップ６４が充填口６０から抜けることをより抑制できる。
【００６７】
また、充填口６０は、第１フレーム３および第２フレーム４が組み合わされて形成されるので、充填口６０の内部に形成される雌ねじ部５８を射出成型によって成型することが可能である。
【００６８】
＜第３実施形態＞
図６は、第３実施形態におけるキャップを装着する前の現像剤収容器の斜視図である。図７は、第３実施形態におけるキャップを装着した状態の現像剤収容器の斜視図である。尚、第１実施形態と同様な部分は、詳細な説明は省略するものとする。
【００６９】
第３実施形態における第１フレーム３及び第２フレーム４は、第１溶着面３０の前端および第２溶着面４０の前端よりも前方に突出した円筒部７４を有している。また、円筒部７４の内面は、第１切欠き部７０および第２切欠き部７２によって形成されている。
【００７０】
また、第３実施形態における現像剤収容器１は、円筒部７４に装着される円形状のリング状部材７６を備えている。リング状部材７６の内径Ｌ１は、円筒部７４の外径Ｌ２と略等しい大きさである。よって、リング状部材７６は、円筒部７４に装着された際、円筒部７４の外周面と全周に亘って接触する。
【００７１】
また、キャップ５は、図７に示すように、リング状部材７６が円筒部７４に装着された状態で、円筒部７４に装着される。また、キャップ５の鍔部４８の外径は、リング状部材７６の内径Ｌ１より大きい。よって、キャップ５の鍔部４８が、リング状部材７６の前方への移動を規制している。
【００７２】
以上のように、円筒部７４は、第１溶着面３０および第２溶着面４０よりも前方に突出しており、円筒部７４の外周面と全周に亘って接触するリング状部材７６を備えている。
【００７３】
この結果、リング状部材７６によって円筒部７４を固定できる。よって、第１フレーム３の第１溶着面３０と第２フレーム４の第２溶着面４０の溶着力が弱い場合に有効である。また、リング部材７６は、キャップ５を円筒部７４に嵌めることによる円筒部７４への圧力を受けることができる。
【００７４】
＜第４実施形態＞
図８（ａ）および（ｂ）は、第４実施形態におけるキャップ８０の斜視図である。図９は、第４実施形態におけるキャップ８０を装着した状態の現像剤収容器の斜視図である。尚、キャップの形状以外は、第３実施形態と同様であるので詳細な説明は省略するものとする。
【００７５】
図８（ａ）に示すように、キャップ８０は、充填口６に挿入される挿入部８２と、円筒部８６の外周面を覆う被覆部８４と、を有する。
【００７６】
挿入部８２は、円筒形状である。被覆部８４は、図８（ｂ）に示すように、挿入部８２の一端から外側に突出する第１部８４Ａと、第１部８４Ａの端部から後方に向かって延びる第２部８４Ｂとを有している。第２部８４Ｂは、筒状であり、第２部８４Ｂの内径は、円筒部８６の外径と略等しい。よって、図９に示すように、キャップ８０を充填口６に装着した状態では、キャップ８０の被覆部８４が、円筒部８６の前端を覆っている。
【００７７】
この結果、キャップ８０の被覆部８４によって円筒部８６を固定できる。よって、第１フレーム３の第１溶着面３０と第２フレーム４の第２溶着面４０の溶着力が弱い場合に有効である。
【００７８】
＜第５実施形態＞
図１０は、第５実施形態における充填口周りを表す図である。図１１は、第５実施形態におけるキャップを装着する前の現像剤収容器の斜視図である。尚、第１実施形態と同様な部分は、詳細な説明は省略するものとする。
【００７９】
図１０に示すように、第５実施形態における円筒部９０は、後述するシール部材９４が後方へ移動するのを規制する規制部９２を有している。規制部９２は、円筒部９０の内部を覆うように形成された規制面９２Ａと、規制面９２Ａに形成された複数の貫通孔９２Ｂを有している。規制面９２Ａは、シール部材９４と当接してシール部材９４の移動を規制する。貫通孔９２Ｂは、充填されるトナーが通る穴である。
【００８０】
また、現像剤収容器１は、図１１に示すように、円形状のシール部材９４を備えている。シール部材９４は、弾性材料から形成されており、弾性変形して円筒部９０の内周面と全周に亘って接触する。
【００８１】
また、キャップ９６は、円筒部９０の内部にシール部材９４を装着した後、円筒部９０に装着する。
【００８２】
以上のような構成により、シール部材９４によって充填口６を塞ぐことが出来る。よって、充填口６からトナーが漏れることを抑制できる。特に、キャップ９６の外周面と円筒部９０の内周面の密着力が弱い場合に有効である。また、シール部材９４を備えた場合、キャップ９６と円筒部９０の間に隙間があってもよいので、キャップ９６を円筒部９０に嵌めることによる円筒部９０への圧力を弱めることができる。よって、第１フレーム３および第２フレーム４への負荷が低減する。
【００８３】
尚、規制部９２は、上記の形状に限らず、図１２に示すような形状でもよい。具体的には、規制部９８は、円筒部９０の内周面から内側に突出した第１規制面９８Ａと、第１規制面９８Ａの内部を２等分するように形成された第２規制面９８Ｂとを有している。
【００８４】
＜第６実施形態＞
図１３は、第６実施形態における現像剤収容器を分解した状態の充填口周りの図である。図１４は、第６実施形態における充填口周りの斜視図である。尚、図１４は、充填口が見えるように、フレーム３を斜線で示す断面で切断している。また、第１実施形態と同様な部分は、詳細な説明は省略するものとする。
【００８５】
第１フレーム３は、第１切欠き部１００の後端から左方に向かって約９０度湾曲する第１湾曲部１０１を有している。同様に、第２フレーム４は、第２切欠き部１０２の後端から左方に向かって約９０度湾曲する第２湾曲部１０３を有している。また、図１４に示すように、第１湾曲部１０１と第２湾曲部１０３が組み合わされることによって、湾曲部１０５が形成される。
【００８６】
また、充填口１０４は、図１４に示すように、湾曲部１０５および円筒部１０６によってノズル状に形成される。
【００８７】
この結果、トナーは、湾曲部１０５によって側壁２０（図３参照）に向かって充填される。よって、現像剤収容器１の後方へ向かって充填するよりも、充填されたトナーが舞い上がることを抑制することが出来る。
【００８８】
＜変形例＞
本実施例では、第１切欠き部および第２切欠き部が、両方とも半円形状であったが、どちらか一方が大きくてもよい。一例として、図１５に示すように、第１切欠き部１１０が、第２切欠き部１１２よりも大きくてもよい。
【００８９】
これにより、フレームの大きさや他部品の配置を考慮しながら、第１切欠き部と第２切欠き部の大きさを決めることができる。
【符号の説明】
【００９０】
１  現像剤収容器
２  筐体
３  第１フレーム
４  第２フレーム
５  キャップ
６  充填口
１０  開口
３０  第１溶着面
３４  第１切欠き部
４０  第２溶着面
４４  第２切欠き部
５８  雌ねじ部
６２  雄ねじ部
７４  円筒部
７６  リング状部材
９４  シール部材
【図１】
0005915169.tif 000002
【図２】
0005915169.tif 000003
【図３】
0005915169.tif 000004
【図４】
0005915169.tif 000005
【図５】
0005915169.tif 000006
【図６】
0005915169.tif 000007
【図７】
0005915169.tif 000008
【図８】
0005915169.tif 000009
【図９】
0005915169.tif 000010
【図１０】
0005915169.tif 000011
【図１１】
0005915169.tif 000012
【図１２】
0005915169.tif 000013
【図１３】
0005915169.tif 000014
【図１４】
0005915169.tif 000015
【図１５】
0005915169.tif 000016